(57)【要約】【課題】エリア内に位置する特定の携帯端末から送信されたメッセージに関する情報をエリア内の複数の携帯端末に対して情報を一斉配信することが可能な情報通知システム、携帯端末及び情報通知方法を提供する。【解決手段】情報通知システム１は、管理装置と、携帯端末とを備える。管理装置は、所定のエリア内に位置する第１の携帯端末から送信された送信メッセージを受信する通信部と、所定のエリア内に位置する他の携帯端末に対して送信メッセージの送信元である第１の携帯端末に関する情報の少なくとも一部を含んだブロードキャストメッセージを通信部に一斉配信させる制御部１０４とを備える。携帯端末は、管理装置より配信されたブロードキャストメッセージを受信する受信部２０３と、受信部２０３によって受信されたブロードキャストメッセージに含まれる第１の携帯端末に関する情報を報知部により報知させる制御部２１０とを備える。【選択図】図１
2012109819.tif 000002
【特許請求の範囲】
【請求項１】
所定のエリア内にブロードキャストメッセージを一斉配信する管理装置と、当該ブロードキャストメッセージを受信する少なくともひとつの携帯端末とを備えた情報通知システムであって、
前記管理装置は、
前記所定のエリア内に位置する第１の携帯端末から送信された送信メッセージを受信する通信部と、
前記送信メッセージを受信すると、前記所定のエリア内に位置する他の携帯端末に対して前記送信メッセージの送信元である前記第１の携帯端末に関する情報の少なくとも一部を含んだブロードキャストメッセージを前記通信部に一斉配信させる制御部と、を備え、
前記携帯端末は、
報知部と、
前記管理装置より配信されたブロードキャストメッセージを受信する受信部と、
前記受信部によって受信された前記ブロードキャストメッセージに含まれる前記第１の携帯端末に関する情報を前記報知部により報知させる端末制御部と、を備える
情報通知システム。
【請求項２】
前記制御部は、前記送信メッセージが緊急を示す情報を含むか否かを判定し、当該判定結果より前記送信メッセージが緊急を示す情報を含む場合にのみ、前記送信メッセージの送信元である前記第１の携帯端末に関する情報の少なくとも一部が含まれたブロードキャストメッセージを一斉配信させる
請求項１に記載の情報通知システム。
【請求項３】
前記管理装置は、
前記携帯端末から送信された位置情報に基づいて、当該携帯端末が前記所定のエリアに含まれる複数の小エリアの内のいずれの小エリアに位置するかを特定し、当該特定された小エリアに対応する識別情報を前記携帯端末に対応付けて設定する設定部を備え、
前記設定部によって、前記送信メッセージに含まれる前記第１の携帯端末の位置情報に基づいて前記第１の携帯端末が位置する小エリアを特定し、当該特定された小エリアに対応する識別情報を前記第１の携帯端末に設定し、前記端末制御部によって設定した前記送信メッセージの送信元である前記第１の携帯端末に関する情報の少なくとも一部が含まれる当該識別情報が対応付けられたブロードキャストメッセージを前記所定のエリア内に一斉配信させ、
前記携帯端末は、
位置情報を取得する位置情報取得部と、
前記位置情報取得部により取得された位置情報を前記管理装置に送信する送信部と、
前記端末制御部によって、自機の位置情報に対応付けられた識別情報が設定されたブロードキャストメッセージを受信させる
請求項１又は２に記載の情報通知システム。
【請求項４】
前記小エリアは、前記所定のエリアを複数に細分化したエリアの内の一つである
請求項３に記載の情報通知システム。
【請求項５】
前記端末制御部は、自機の位置情報に対応付けられた識別情報以外の識別情報が設定された前記ブロードキャストメッセージを受信させない
請求項１から４のいずれか１項に記載の情報通知システム。
【請求項６】
前記携帯端末は、位置情報取得部により定期的に位置情報を取得し、当該取得した位置情報を送信部により前記管理装置に対して送信し、
前記制御部は、前記通信部により前記携帯端末より送信される前記位置情報を受信するたびに、当該位置情報に基づいて前記携帯端末が位置する小エリアを特定し、当該特定された小エリアが直前に特定された小エリアと異なる場合、当該異なる小エリアに対応する識別情報を新たに設定し直す
請求項１から５のいずれか１項に記載の情報通知システム。
【請求項７】
前記制御部は、前記携帯端末の現在位置を示す位置情報を取得するために、前記携帯端末に対して位置情報を送信するよう要求する位置情報要求を一斉配信させ、当該位置情報要求に対して前記携帯端末から送信された位置情報を前記通信部により受信した場合に、当該位置情報に基づいて識別情報を設定する
請求項１から６のいずれか１項に記載の情報通知システム。
【請求項８】
前記ブロードキャストメッセージは、ＢＣＭＣＳ（Ｂｒｏａｄｃａｓｔ  Ｍｕｌｔｉｃａｓｔ  Ｓｅｒｖｉｃｅｓ）によって送信されるメッセージを含む
請求項１から７のいずれか１項に記載の情報通知システム。
【請求項９】
前記制御部は、前記通信部により前記第１の携帯端末より送信される送信メッセージを定期的に受信しなくなった場合、前記ブロードキャストメッセージの一斉配信を停止する
請求項１から８のいずれか１項に記載の情報通知システム。
【請求項１０】
緊急を示す情報を含むメッセージを受信すると当該受信したメッセージの送信元の携帯端末に関する情報の少なくとも一部を含むブロードキャストメッセージを所定のエリア内に一斉配信する管理装置と通信する当該所定のエリア内に位置する携帯端末において、
操作部と、
メッセージを送信する送信部と、
前記操作部による操作によって、前記管理装置に対して前記緊急を示す情報を含むメッセージを前記送信部に送信させる制御部と、を備える携帯端末。
【請求項１１】
所定のエリア内に一斉配信されたブロードキャストメッセージを受信する携帯端末であって、
報知部と、
前記所定のエリア内に位置する第１の携帯端末から送信された送信メッセージの送信元である前記第１の携帯端末に関する情報の少なくとも一部が含まれたブロードキャストメッセージを受信する受信部と、
前記受信部によって受信した前記ブロードキャストメッセージに含まれる前記第１の携帯端末に関する情報を前記報知部により報知させる制御部と、を備える携帯端末。
【請求項１２】
位置情報を取得する位置情報取得部と、
前記位置情報取得部により取得された位置情報を前記管理装置に送信する送信部と、をさらに備え、
前記制御部によって、前記管理装置により前記位置情報に基づいて対応付けられた識別情報が設定されたブロードキャストメッセージのみを受信させる
請求項１１に記載の携帯端末。
【請求項１３】
所定のエリア内にブロードキャストメッセージを一斉配信する管理装置と、当該ブロードキャストメッセージを受信する携帯端末とを備えた情報通知システムにおける情報通知方法であって、
前記携帯端末が、前記所定のエリア内に位置する第１の携帯端末から送信された送信メッセージを送信する第１ステップと、
前記送信メッセージの送信元である前記第１の携帯端末に関する情報の少なくとも一部が含まれるブロードキャストメッセージを一斉配信する第２ステップと、
前記携帯端末が、前記ブロードキャストメッセージを受信する第３ステップと、
前記第３ステップにおいて受信したブロードキャストメッセージから前記第１の携帯端末に関する情報を報知させる第４ステップと、
を有する情報通知方法。
【発明の詳細な説明】
【技術分野】
【０００１】
本発明は、基地局と携帯端末とを備える情報通知システム、その情報通知システムに利用される携帯端末、及び、その情報通知システムにおける情報通知方法に関する。
【背景技術】
【０００２】
基地局から携帯端末に情報を通知する情報通知システムには、例えば、防災情報や防犯情報等の緊急情報を配信する緊急情報配信システムがある。緊急情報配信システムは、特定の基地局と通信が可能な範囲（通信エリア）に位置する携帯端末に対して、ＢＣＭＣＳ（Ｂｒｏａｄｃａｓｔ  Ｍｕｌｔｉｃａｓｔ  Ｓｅｒｖｉｃｅ）により、緊急情報を配信する（特許文献１参照）。
ここで、ＢＣＭＣＳとは、複数の携帯端末に同一データを一斉配信する機器のことで、３ＧＰＰ２によって標準化されている規格である。
【先行技術文献】
【特許文献】
【０００３】
【特許文献１】特開２００７−１４８８３７号公報
【発明の概要】
【発明が解決しようとする課題】
【０００４】
特許文献１に記載された発明は、緊急情報を配信する基地局の通信エリア内に位置する全て（不特定）の携帯端末に対して緊急情報を一斉配信することが可能であるが、通信エリア内に位置する特定の携帯端末から送信されたメッセージに関する情報を一斉配信することができなかった。
【０００５】
本発明は、通信エリア内に位置する特定の携帯端末から送信されたメッセージに関する情報をエリア内の複数の携帯端末に対して情報を一斉配信することが可能な情報通知システム、及びその情報通知システムにおける情報通知方法を提供することを目的とする。
また、本発明は、情報通知システムに利用される携帯端末を提供することを目的とする。
【課題を解決するための手段】
【０００６】
本発明の情報通知システムは、所定のエリア内にブロードキャストメッセージを一斉配信する管理装置と、当該ブロードキャストメッセージを受信する少なくともひとつの携帯端末とを備えた情報通知システムであって、前記管理装置は、前記所定のエリア内に位置する第１の携帯端末から送信された送信メッセージを受信する通信部と、前記送信メッセージを受信すると、前記所定のエリア内に位置する他の携帯端末に対して前記送信メッセージの送信元である前記第１の携帯端末に関する情報の少なくとも一部を含んだブロードキャストメッセージを前記通信部に一斉配信させる制御部と、を備え、前記携帯端末は、報知部と、前記管理装置より配信されたブロードキャストメッセージを受信する受信部と、前記受信部によって受信された前記ブロードキャストメッセージに含まれる前記第１の携帯端末に関する情報を前記報知部により報知させる端末制御部と、を備えることを特徴とする。
【０００７】
また、前記制御部は、前記送信メッセージが緊急を示す情報を含むか否かを判定し、当該判定結果より前記送信メッセージが緊急を示す情報を含む場合にのみ、前記送信メッセージの送信元である前記第１の携帯端末に関する情報の少なくとも一部が含まれたブロードキャストメッセージを一斉配信させることが好ましい。
【０００８】
また、前記管理装置は、前記携帯端末から送信された位置情報に基づいて、当該携帯端末が前記所定のエリアに含まれる複数の小エリアの内のいずれの小エリアに位置するかを特定し、当該特定された小エリアに対応する識別情報を前記携帯端末に対応付けて設定する設定部を備え、前記設定部によって、前記送信メッセージに含まれる前記第１の携帯端末の位置情報に基づいて前記第１の携帯端末が位置する小エリアを特定し、当該特定された小エリアに対応する識別情報を前記第１の携帯端末に設定し、前記端末制御部によって設定した前記送信メッセージの送信元である前記第１の携帯端末に関する情報の少なくとも一部が含まれる当該識別情報が対応付けられたブロードキャストメッセージを前記所定のエリア内に一斉配信させ、前記携帯端末は、位置情報を取得する位置情報取得部と、前記位置情報取得部により取得された位置情報を前記管理装置に送信する送信部と、前記端末制御部によって、自機の位置情報に対応付けられた識別情報が設定されたブロードキャストメッセージを受信させることが好ましい。
【０００９】
また、前記小エリアは、前記所定のエリアを複数に細分化したエリアの内の一つであることが好ましい。
【００１０】
また、前記端末制御部は、自機の位置情報に対応付けられた識別情報以外の識別情報が設定された前記ブロードキャストメッセージを受信させないことが好ましい。
【００１１】
また、前記携帯端末は、位置情報取得部により定期的に位置情報を取得し、当該取得した位置情報を送信部により前記管理装置に対して送信し、前記制御部は、前記通信部により前記携帯端末より送信される前記位置情報を受信するたびに、当該位置情報に基づいて前記携帯端末が位置する小エリアを特定し、当該特定された小エリアが直前に特定された小エリアと異なる場合、当該異なる小エリアに対応する識別情報を新たに設定し直すことが好ましい。
【００１２】
また、前記制御部は、前記携帯端末の現在位置を示す位置情報を取得するために、前記携帯端末に対して位置情報を送信するよう要求する位置情報要求を一斉配信させ、当該位置情報要求に対して前記携帯端末から送信された位置情報を前記通信部により受信した場合に、当該位置情報に基づいて識別情報を設定することが好ましい。
【００１３】
また、前記ブロードキャストメッセージは、ＢＣＭＣＳ（Ｂｒｏａｄｃａｓｔ  Ｍｕｌｔｉｃａｓｔ  Ｓｅｒｖｉｃｅｓ）によって送信されるメッセージを含むことが好ましい。
【００１４】
また、前記制御部は、前記通信部により前記第１の携帯端末より送信される送信メッセージを定期的に受信しなくなった場合、前記ブロードキャストメッセージの一斉配信を停止することが好ましい。
【００１５】
また、本発明の携帯端末は、緊急を示す情報を含むメッセージを受信すると当該受信したメッセージの送信元の携帯端末に関する情報の少なくとも一部を含むブロードキャストメッセージを所定のエリア内に一斉配信する管理装置と通信する当該所定のエリア内に位置する携帯端末において、操作部と、メッセージを送信する送信部と、前記操作部による操作によって、前記管理装置に対して前記緊急を示す情報を含むメッセージを前記送信部に送信させる制御部と、を備えることを特徴とする。
【００１６】
また、本発明の携帯端末は、所定のエリア内に一斉配信されたブロードキャストメッセージを受信する携帯端末であって、報知部と、前記所定のエリア内に位置する第１の携帯端末から送信された送信メッセージの送信元である前記第１の携帯端末に関する情報の少なくとも一部が含まれたブロードキャストメッセージを受信する受信部と、前記受信部によって受信した前記ブロードキャストメッセージに含まれる前記第１の携帯端末に関する情報を前記報知部により報知させる制御部と、を備えることを特徴とする。
【００１７】
また、携帯端末は、位置情報を取得する位置情報取得部と、前記位置情報取得部により取得された位置情報を前記管理装置に送信する送信部と、をさらに備え、前記制御部によって、前記管理装置により前記位置情報に基づいて対応付けられた識別情報が設定されたブロードキャストメッセージのみを受信させることが好ましい。
【００１８】
また、本発明の情報通知方法は、所定のエリア内にブロードキャストメッセージを一斉配信する管理装置と、当該ブロードキャストメッセージを受信する携帯端末とを備えた情報通知システムにおける情報通知方法であって、前記携帯端末が、前記所定のエリア内に位置する第１の携帯端末から送信された送信メッセージを送信する第１ステップと、前記送信メッセージの送信元である前記第１の携帯端末に関する情報の少なくとも一部が含まれるブロードキャストメッセージを一斉配信する第２ステップと、前記携帯端末が、前記ブロードキャストメッセージを受信する第３ステップと、前記第３ステップにおいて受信したブロードキャストメッセージから前記第１の携帯端末に関する情報を報知させる第４ステップと、を有することを特徴とする。
【発明の効果】
【００１９】
本発明は、通信エリア内に位置する特定の携帯端末から送信されたメッセージに関する情報をエリア内の複数の携帯端末に対して情報を一斉配信することが可能な情報通知システム、及びその情報通知システムにおける情報通知方法を提供することができる。
また、本発明は、情報通知システムに利用される携帯端末を提供することができる。
【図面の簡単な説明】
【００２０】
【図１】本発明の一実施形態に係る情報通知システムを説明するブロック図である。
【図２】携帯電話機にメッセージ受信を登録する場合の動作について説明する図である。
【図３】ＦｌｏｗＩＤを再設定する場合の動作について説明するための図である。
【図４】ＦｌｏｗＩＤを再設定する場合の動作について説明するシーケンス図である。
【図５】第１のメッセージを配信する場合の情報通知システムの動作について説明する図である。
【図６】第１のメッセージを配信する場合の情報通知システムの動作について説明するシーケンス図である。
【発明を実施するための形態】
【００２１】
以下、本発明を実施するための好ましい実施形態について、図面を参照しながら説明する。図１は、本発明の一実施形態に係る情報通知システム１を説明するブロック図である。
【００２２】
情報通知システム１は、基地局１００と、複数の携帯端末とを備える。基地局１００は、ＢＣＭＣＳにより、所定のエリア３０１（図２参照）内に位置する複数の携帯電話機２００にメッセージを一斉に配信する。携帯端末の一例としての携帯電話機２００は、基地局１００から配信されるメッセージを受信するモード（例えば、ＢＣＭＣＳデータを受信するモード）に設定されている場合、そのメッセージを受信する。
【００２３】
より具体的には、基地局１００は、アンテナ１０１と、通信部１０６（送信部１０２及び受信部１０３）と、制御部１０４と、記憶部１０５とを備える。
アンテナ１０１は、所定の周波数帯で携帯電話機２００と通信を行う。
通信部１０６は、送信部１０２及び受信部１０３を含む。
送信部１０２は、アンテナ１０１を介して携帯電話機２００にデータを送信する。
【００２４】
受信部１０３は、アンテナ１０１を介して携帯電話機２００からデータを受信する。また、受信部１０３は、所定のエリア３０１内に位置する複数の携帯電話機２００の内の第１の携帯電話機２００ａ（図５参照）から送信された位置情報を含む緊急メッセージ（例えば、ＢＣＭＣＳ  Ｆｌｏｗ  Ｒｅｇｉｓｔｒａｉｏｎ  Ｍｅｓｓａｇｅ）を受信する。ここで、所定のエリア３０１とは、送信部１０２及び受信部１０３により携帯電話機２００と通信を行うことが可能なエリア（基地局１００の通信エリア３０１）のことである。第１の携帯電話機２００ａとは、複数の携帯電話機２００のうち、緊急メッセージを送信した携帯電話機のことである。緊急メッセージは、第１の携帯電話機２００ａに対して所定の操作（例えば、防犯ブザーボタンの押下）が行われることをトリガとして、第１の携帯電話機２００ａから送信される緊急事態が発生したことを示すメッセージである。
【００２５】
制御部１０４は、設定部１０４ａ及び配信部１０４ｂを含み、全体的な基地局１００の制御を行う。
設定部１０４ａは、複数の携帯電話機２００からメッセージ受信登録の際又はそれ以降、周期的に送信された位置情報に基づいて、複数の携帯電話機２００がそれぞれ、通信エリア３０１を分割した複数の小エリア３０２（図２参照）の内のいずれの小エリア３０２に位置するかを特定し、その特定された小エリア３０２に対応する識別情報をそれぞれの携帯電話機２００ごとに設定する。
【００２６】
通信エリア３０１は、複数の小エリア３０２に分割されている。その小エリア３０２には、それぞれ識別情報が設定されている。ここで、識別情報は、ＢＣＭＣＳＦｌｏｗＩＤ（以下、ＦｌｏｗＩＤとする）である。設定部１０４ａは、携帯電話機２００がある小エリア３０２に位置する場合、その携帯電話機２００にその小エリア３０２に対応するＦｌｏｗＩＤ（識別情報）を設定する。設定部１０４ａは、例えば、ＦｌｏｗＩＤが「２０」に設定された小エリア３０２に携帯電話機２００が位置する場合（図２参照）、その携帯電話機２００にＦｌｏｗＩＤとして「２０」を設定する。また、設定部１０４ａは、例えばＦｌｏｗＩＤが「３０」に設定された小エリア３０２に携帯電話機２００が位置する場合（図２参照）、その携帯電話機２００にＦｌｏｗＩＤとして「３０」を設定する。なお、各小エリア３０２に設定されるＦｌｏｗＩＤは、通信エリア３０１内において重複しないように設定される。なお、同一エリア内においてＦｌｏｗＩＤは１２７個設定が可能であるため、最大１２７個の小エリアに分割することが可能である。
【００２７】
また、設定部１０４ａは、携帯電話機２００より送信される位置情報を受信部１０３により受信するたびに、その位置情報に基づいて携帯電話機２００が位置する小エリア３０２を特定する。さらに、設定部１０４ａは、特定された小エリア３０２が直前に特定された小エリア３０２と異なる場合、その異なる小エリア３０２に対応するＦｌｏｗＩＤを新たに設定し直す。例えば、設定部１０４ａは、ＦｌｏｗＩＤとして「２０」が設定された小エリア３０２からＦｌｏｗＩＤとして「４０」が設定された小エリア３０２に携帯電話機２００が移動した場合（図３参照）、携帯電話機２００が送信する位置情報に基づいて携帯電話機２００が位置する小エリア３０２を特定する。そして、設定部１０４ａは、携帯電話機２００にＦｌｏｗＩＤとして「４０」を設定する。
【００２８】
また、設定部１０４ａは、携帯電話機２００の現在位置を示す位置情報を取得するために、携帯電話機２００に対して位置情報を送信するよう要求する位置情報要求情報を送信させる。さらに、設定部１０４ａは、位置情報要求情報に応じて携帯電話機２００から送信された位置情報を受信部１０３により受信した場合に、その位置情報に基づいてＦｌｏｗＩＤを設定する。すなわち、設定部１０４ａは、送信部１０２により位置情報要求情報を送信させる。携帯電話機２００は、位置情報要求情報を後述する受信部２０３により受信した場合に、後述する位置情報取得部２０４を利用して位置情報を取得して、その位置情報を後述する送信部２０２により送信させる。設定部１０４ａは、受信部１０３により位置情報を受信した場合、その位置情報に基づいてＦｌｏｗＩＤを設定する。ここで、設定部１０４ａは、携帯電話機２００のＦｌｏｗＩＤに変更がない場合には、再設定を行わない。一方、設定部１０４ａは、携帯電話機２００のＦｌｏｗＩＤに変更がある場合には、ＦｌｏｗＩＤの再設定を行う。
【００２９】
配信部１０４ｂは、受信部１０３により受信された緊急メッセージに含まれる第１の携帯電話機２００ａの位置情報に基づいて第１の携帯電話機２００ａが位置する小エリア３０２を特定し、その特定された小エリア３０２に対応するＦｌｏｗＩＤを設定した第１のメッセージの配信要求を複数の携帯電話機２００に配信させる。例えば、配信部１０４ｂは、第１の携帯電話機２００ａの位置情報に基づいて、ＦｌｏｗＩＤが「２０」に設定された小エリア３０２に第１の携帯電話機２００ａが位置すると特定した場合、ＦｌｏｗＩＤを「２０」に設定した第１のメッセージを、送信部１０２を利用して第１のメッセージの配信要求を通信エリア３０１内の複数の携帯電話機２００に対して配信させる。第１のメッセージの配信要求は、その配信要求に含まれるＦｌｏｗＩＤと同一のＦｌｏｗＩＤが設定された携帯電話機２００に第１のメッセージを受信させるために、配信部１０４ｂから配信される。第１のメッセージは、その第１のメッセージを受信した携帯電話機２００の近くで、緊急事態が発生した人がいることを示す緊急メッセージである。なお、この第１のメッセージに、第１の携帯電話機２００ａの位置情報等を含ませて、配信された携帯電話機２００のユーザに緊急事態が発生した人の場所がより分かりやすくしてもよい。
【００３０】
配信部１０４ｂは、第１の携帯電話機２００ａから送信された緊急メッセージを受信部１０３により受信することに応じて、第１のメッセージとしてのＢＣＭＣＳデータを送信させる。すなわち、第１のメッセージは、ＢＣＭＣＳデータとして送信される。
【００３１】
配信部１０４ｂは、第１の携帯電話機２００ａより送信される緊急メッセージを受信部１０３により定期的に受信しなくなった場合、ＢＣＭＣＳデータの送信を停止する。配信部１０４ｂは、第１の携帯電話機２００ａから送信された緊急メッセージを受信部１０３により受信を開始して、その緊急メッセージを定期的に受信していた後に、所定の期間、緊急メッセージを受信部１０３により受信しなかったときには、ＢＣＭＣＳデータ（第１のメッセージ）の送信を停止する。記憶部１０５は、設定部１０４ａによって設定された携帯電話機２００のＦｌｏｗＩＤを記憶する。
【００３２】
携帯電話機２００は、アンテナ２０１と、送信部２０２と、受信部２０３と、位置情報取得部２０４と、登録部２０５と、切替部２０６と、緊急メッセージ送信部２０７と、出力部２０８（報知部）とを備える。
【００３３】
アンテナ２０１は、所定の周波数帯で基地局１００と通信を行う。
送信部２０２は、アンテナ２０１を介して基地局１００にデータを送信する。また、送信部２０２は、後述する位置情報取得部２０４により取得された位置情報を基地局１００に送信する。
受信部２０３は、アンテナ２０１を介して基地局１００からデータを受信する。
【００３４】
位置情報取得部２０４は、位置情報を取得する。位置情報取得部２０４は、例えば、全地球測位システム（ＧＰＳ）からなり、上空にある複数の人工衛星から送信される信号に基づいて携帯電話機２００の現在位置を示す位置情報を取得する。また、位置情報取得部２０４は、周期的に位置情報を取得し、その取得した位置情報を送信部２０２により基地局１００に対して送信させる。
【００３５】
制御部２１０は、登録部２０５と、切替部２０６と、緊急メッセージ送信部２０７とを含み、携帯電話機２００を全体的に制御する。
登録部２０５は、設定部１０４ａにより設定されたＦｌｏｗＩＤに基づいて、そのＦｌｏｗＩＤに対応するメッセージの受信登録を行う。例えば、受信登録は、以下のような流れで行われる。まず、携帯電話機２００は、基地局１００に対して緊急メッセージの受信登録を行うのに、基地局１００に対して受信登録要求を位置情報取得部２０４により取得した位置情報と共に返信する。次に、受信登録要求及び位置情報を受信した基地局１００は、携帯電話機２００に対してＦｌｏｗＩＤを割り当て、当該ＦｌｏｗＩＤを含むメッセージを携帯電話機２００に送信する。当該メッセージを受信した携帯電話機２００は、当該メッセージに基づいて登録部２０５に受信登録を行わせる。
【００３６】
切替部２０６は、配信部１０４ｂにより配信される配信要求に含まれるＦｌｏｗＩＤと同一のＦｌｏｗＩＤに対応するメッセージの受信登録を登録部２０５により行っている場合、第１のメッセージを受信するモードに切り替える。すなわち、切替部２０６は、メッセージの受信を待ち受ける待ち受けモードから、受信部２０３によって第１のメッセージを受信することができるモードに切り換える。
【００３７】
切替部２０６は、配信部１０４ｂにより配信される配信要求に含まれるＦｌｏｗＩＤとは異なるＦｌｏｗＩＤに対応するメッセージの受信登録を登録部２０５により行っている場合、第１のメッセージを受信するモードに切り替えない。すなわち、切替部２０６は、通常の待ち受けモードを維持する。
【００３８】
緊急メッセージ送信部２０７は、送信部２０２により緊急メッセージを開始時より定期的に送信させる。緊急メッセージ送信部２０７は、携帯電話機２００のユーザに緊急事態が発生した場合、そのユーザによって例えば防犯ブザーボタンが押下されたことに基づいて、送信部２０２によって緊急メッセージの送信を開始させる。緊急メッセージ送信部２０７は、送信部２０２によって、緊急メッセージを定期的に送信させる。
【００３９】
出力部２０８は、第１のメッセージを受信部２０３により受信した場合に、その第１のメッセージを出力する。具体的には、出力部２０８は、表示部及びスピーカ等である。表示部は、第１のメッセージを受信した場合、第１のメッセージを表示する。また、スピーカは、第１のメッセージを受信した場合、第１のメッセージを示す音声又は第１のメッセージを示す警報音を出力する。より具体的な例としては、第１のメッセージの出力として、第１の携帯電話機２００ａの位置を地図に示して表示部に表示したり、緊急事態が発生した人が周辺にいることを示す音声又は音をスピーカから出力したりする。
記憶部２０９は、登録部２０５により登録されたＦｌｏｗＩＤを記憶する。
【００４０】
次に、情報通知システム１の動作について説明する。まず、携帯電話機２００にメッセージ（ＢＣＭＣＳデータ）受信を登録する場合の動作について説明する。図２は、携帯電話機２００にメッセージ受信を登録する場合の動作について説明する図である。
【００４１】
まず、携帯電話機２００は、基地局１００に対してメッセージを受信できるようにするために、送信部２０２を利用してＢＣＭＣＳデータ登録要求を基地局１００に送信する。ここで、携帯電話機２００は、メッセージ登録要求と共に、位置情報取得部２０４により取得された位置情報を基地局１００に送信する。
【００４２】
基地局１００の設定部１０４ａは、受信部１０３により受信された位置情報に基づいて、携帯電話機２００が複数の小エリア３０２のうちのいずれに位置するのか特定する。さらに、設定部１０４ａは、携帯電話機２００が位置する小エリア３０２を特定すると、特定された小エリア３０２に対応するＦｌｏｗＩＤを携帯電話機２００に設定する。すなわち、設定部１０４ａは、携帯電話機２００に対して、ＦｌｏｗＩＤを携帯電話機２００に設定するためのＦｌｏｗＩＤ情報通知を行う。
【００４３】
携帯電話機２００の登録部２０５は、ＦｌｏｗＩＤ情報が通知された場合、その通知に含まれるＦｌｏｗＩＤに基づいて、そのＦｌｏｗＩＤに対応するメッセージの受信登録を行う。このように登録が行われることにより、携帯電話機２００は、メッセージを受信することが可能になる。
【００４４】
次に、携帯電話機２００が通信エリア３０１内を移動した場合に、ＦｌｏｗＩＤを再設定する動作について説明する。図３は、ＦｌｏｗＩＤを再設定する場合の動作について説明するための図である。図４は、ＦｌｏｗＩＤを再設定する場合の動作について説明するシーケンス図である。なお、ここでは、図３に示すように、携帯電話機２００は、ＦｌｏｗＩＤが「２０」に設定された小エリア３０２から、ＦｌｏｗＩＤが「４０」に設定された小エリア３０２に移動した場合について説明する。
【００４５】
図４のステップＳ１０１において、基地局１００は、送信部１０２を利用して、所定の間隔で、携帯電話機２００に対する位置情報要求としてＢｒｏａｄｃａｓｔＯｖｅｒｈｅａｄメッセージ（ＢＯＭ）を送信する。この場合、その旨を示すために、ＢＯＭのＲｅｇｉｓｔｅｒＦｏｒＰａｇｉｎｇビットは、「１」に設定されている。
【００４６】
ステップＳ１０２において、ＲｅｇｉｓｔｅｒＦｏｒＰａｇｉｎｇビットが「１」に設定されたＢＯＭを受信した場合、携帯電話機２００の位置情報取得部２０４は、位置情報を取得する。
【００４７】
ステップＳ１０３において、携帯電話機２００は、送信部２０２によって、ステップＳ１０２により取得された位置情報を基地局１００に送信する。
【００４８】
ステップＳ１０４において、携帯電話機２００は、送信部２０２を利用して、ＢｒｏｄｃａｓｔＲｅｇｉｓｔｒａｔｉｏｎＭｅｓｓａｇｅ（以下、Ｒｅｇｉｓｔｒａｔｉｏｎメッセージ）を基地局１００に送信する。Ｒｅｇｉｓｔｒａｔｉｏｎメッセージには、携帯電話機２００に設定されているＦｌｏｗＩＤが含まれている。
【００４９】
ステップＳ１０５において、受信部１０３により位置情報とＲｅｇｉｓｔｒａｔｉｏｎメッセージとを受信した場合、設定部１０４ａは、位置情報に基づいて携帯電話機２００が位置する小エリア３０２のＦｌｏｗＩＤを特定する。さらに、設定部１０４ａは、位置情報に基づいて特定されたＦｌｏｗＩＤと、Ｒｅｇｉｓｔｒａｔｉｏｎメッセージに含まれるＦｌｏｗＩＤとを照合する。
【００５０】
ステップＳ１０６において、設定部１０４ａは、各ＦｌｏｗＩＤが一致するか否かを判断する。なお、図３に示す場合では、位置情報に基づいて特定されたＦｌｏｗＩＤが「４０」であり、Ｒｅｇｉｓｔｒａｔｉｏｎメッセージに含まれるＦｌｏｗＩＤが「２０」であるため、設定部１０４ａは、各ＦｌｏｗＩＤが一致しないと判断する。各ＦｌｏｗＩＤが一致しない場合（Ｎｏ）には、ステップＳ１０７の処理が行われる。一方、各ＦｌｏｗＩＤが一致する場合（Ｙｅｓ）には、処理は終了する。
【００５１】
ステップＳ１０７において、設定部１０４ａは、位置情報に基づいて、携帯電話機２００が位置する小エリア３０２を特定し、特定された小エリア３０２に対応するＦｌｏｗＩＤを含む（ここでは、「４０」）をＢｒｏａｄｃａｓｔＲｅｊｅｃｔＭｅｓｓａｇｅ（Ｒｅｊｅｃｔメッセージ）を、送信部１０２により送信させる。
【００５２】
ステップＳ１０８において、携帯電話機２００は、受信部２０３により受信したＢｒｏａｄｃａｓｔＲｅｊｅｃｔＭｅｓｓａｇｅ（Ｒｅｊｅｃｔメッセージ）に含まれるＦｌｏｗＩＤに基づいて、自機のＦｌｏｗＩＤを再設定する。ＦｌｏｗＩＤ再設定により、携帯電話機２００のユーザが現在いる位置に対応するメッセージを受信することになる。そのため、より信憑性の高い第１のメッセージ（緊急メッセージ）の受信が可能となる。
【００５３】
次に、第１のメッセージ（ＢＣＭＣＳデータ）を配信する場合の情報通知システム１の動作について説明する。図５は、第１のメッセージを配信する場合の情報通知システム１の動作について説明する図である。図６は、第１のメッセージを配信する場合の情報通知システム１の動作について説明するシーケンス図である。
【００５４】
なお、ここでは、第１の携帯電話機２００ａとしての子供用携帯電話機２００ａから、緊急事態が発生したことを通報する場合について説明する。また、図５に示すように、子供用携帯電話機２００ａと１つの携帯電話機２００とは、ＦｌｏｗＩＤとして「２０」が設定され、他の１つの携帯電話機２００は、ＦｌｏｗＩＤとして「３０」が設定されている。
【００５５】
ユーザは、メッセージを受信することができるように受信登録を予め行う。例えば、受信登録とは、以下のような流れで行われる。まず、携帯電話機２００は、基地局１００に対して緊急メッセージの受信登録を行うために、基地局１００に対して受信登録要求を位置情報取得部２０４により取得した位置情報と共に送信する。次に、受信登録要求及び位置情報を受信した基地局１００は、携帯電話機２００に対してＦｌｏｗＩＤを割り当て、当該ＦｌｏｗＩＤを含むメッセージを携帯電話機２００に送信する。当該メッセージを受信した携帯電話機２００は、当該メッセージに基づいて受信登録を行う。
【００５６】
制御部２１０は、携帯電話機２００の起動等に応じて、コントロールチャンネル（ＣＣ）を間欠受信モードに設定する。すなわち、制御部２１０は、携帯電話機２００を待ち受けモードに設定する。
【００５７】
ステップＳ２０３において、基地局１００は、ＢｒｏａｄｃａｓｔＯｖｅｒｈｅａｄメッセージを、定期的に通信エリア３０１内の携帯電話機２００に対して送信する。
【００５８】
ステップＳ２０４において、子供用携帯電話機２００ａのユーザに緊急事態が発生した場合、そのユーザによって、子供用携帯電話機２００ａの防犯ブザーボタンが押下される。
【００５９】
ステップＳ２０５において、子供用携帯電話機２００ａは、防犯ブザーボタンが押下されたことをトリガとして、基地局１００に対して、Ｒｅｇｉｓｔｒａｔｉｏｎメッセージ（送信メッセージ）を送信する。
【００６０】
ステップＳ２０６において、子供用携帯電話機２００ａは、防犯ブザーが押下されたことをトリガとして位置情報取得部２０４により位置情報を取得し、基地局１００に対して位置情報を送信する。なお、ステップＳ２０５とステップＳ２０６は、同時に行ってもよい。
【００６１】
ステップＳ２０７において、基地局１００は、子供用携帯電話機２００ａからＲｅｇｉｓｔｒａｔｉｏｎメッセージを受信したことをトリガとして、受信した位置情報に基づいて子供用携帯電話機２００ａの位置を特定し、当該位置にＦｌｏｗＩＤを特定し、当該ＦｌｏｗＩＤを設定したＢＣＭＣＳデータ（第１のメッセージ）の送信を開始する。このＢＣＭＣＳデータには、子供用携帯電話機２００ａに関する情報が含まれている。例えば、子供用携帯電話機２００ａの位置や所有者に関する情報である。なお、図５に示す場合では、ＦｌｏｗＩＤとして「２０」が特定される。
【００６２】
ステップＳ２０８において、基地局１００は、まず、特定されたＦｌｏｗＩＤを含むＢｒｏａｄｃａｓｔＯｖｅｒｈｅａｄメッセージ（ＢＯＭ）を、所定のエリア内に位置する全ての携帯電話機２００に対して送信する。この場合、ＢＯＭのＲｅｇｉｓｔｅｒＦｏｒＰａｇｉｎｇビットは、「０」に設定されている。
【００６３】
ステップＳ２０９において、制御部２１０は、緊急事態が発生したユーザがいることを知らせるＢＣＭＣＳデータ（第１のメッセージ）を受信するためのＦｌｏｗＩＤがＢＯＭに設定されているか否かを判断する。すなわち、制御部２１０は、携帯電話機２００に予め設定された、若しくは設定し直されたＦｌｏｗＩＤと、ＢＯＭに含まれるＦｌｏｗＩＤとが一致するか否かを判断する。ＦｌｏｗＩＤがＢＯＭに設定されていない場合（各ＦｌｏｗＩＤが一致しない場合：Ｎｏ）には、制御部２１０は、ＣＣの間欠受信モードを維持する。すなわち、ＦｌｏｗＩＤが「３０」に設定されている携帯電話機２００は、ＢＣＭＣＳデータを受信することができるモードにはならない。一方、ＦｌｏｗＩＤがＢＯＭに設定されている場合（各ＦｌｏｗＩＤが一致する場合：Ｙｅｓ）には、ステップＳ２１０に進む。
【００６４】
ステップＳ２１０において、制御部２１０は、以降、送信されるＢＣＭＣＳデータを受信するためにＣＣ連続受信モードに変更する。すなわち、携帯電話機２００は、ＲｅｇｉｓｔｅｒＦｏｒＰａｇｉｎｇビットは、「０」に設定されているＢＯＭを受信した場合、直ちに各ＦｌｏｗＩＤが一致しているか否かを判断し、両者が一致しているときには、直ちにＣＣ連続受信モードに変更する。これにより、ＦｌｏｗＩＤとして「２０」が設定された携帯電話機２００は、ＢＣＭＣＳデータを受信することができるモードになる。
【００６５】
ステップＳ２１１において、子供用携帯電話機２００ａは、定期的に、基地局１００に対して、Ｒｅｇｉｓｔｒａｔｉｏｎメッセージを送信する。なお、基地局１００は、ＢＣＭＣＳデータの送信を開始した場合には、Ｒｅｇｉｓｔｒａｔｉｏｎメッセージに含まれるＦｌｏｗＩＤが現在送信しているＢＣＭＣＳデータのＦｌｏｗＩＤと一致するかを判定する。ここで、ＦｌｏｗＩＤが異なる場合には、送信するＢＣＭＣＳデータのＦｌｏｗＩＤを変更し、当該変更されたＦｌｏｗＩＤを含むＢＯＭを送信する。
【００６６】
ステップＳ２１２において、子供用携帯電話機２００ａは、定期的に、位置情報取得部２０４により位置情報を取得し、基地局１００に対して位置情報を送信する。
【００６７】
ステップＳ２１３において、基地局１００は、ＢＯＭを送信した後、ＢＣＭＣＳデータを送信する。
【００６８】
ステップＳ２１４において、出力部２０８は、制御部２１０からＢＣＭＣＳデータに基づく情報を出力する。
【００６９】
ステップＳ２１５において、出力部２０８は、携帯電話機２００の近くにおいて緊急事態が発生したことを示すＢＣＭＣＳデータを出力部２０８によって報知する。
【００７０】
ステップＳ２１６において、基地局１００は、子供用携帯電話機２００ａから定期的にＢｒｏａｄｃａｓｔＲｅｇｉｓｔｒａｔｉｏｎメッセージと位置情報とを受信しなくなった場合に、ＢＣＭＣＳデータの送信を終了する。
【００７１】
ステップＳ２１７において、基地局１００は、ＢＣＭＣＳデータの受信終了通知を携帯電話機２００に送信する。
【００７２】
ステップＳ２１８において、出力部２０８は、ＢＣＭＣＳデータの受信終了通知を制御部２１０から受け入れる。
【００７３】
ステップＳ２１９において、制御部２１０は、ＢＣＭＣＳデータ受信終了通知を受けてＣＣ連続受信モードからＣＣ間欠受信モードに変更する。
【００７４】
ステップＳ２２０において、出力部２０８は、ＢＣＭＣＳデータの受信終了通知を受信すると、終了した旨を通知する。これによって、子供用携帯電話機２００ａからのＲｅｇｉｓｔｒａｔｉｏｎメッセージの通知が終了したか若しくは位置を移動したことを知ることができる。
【００７５】
なお、ステップＳ２１５においてＢＣＭＣＳデータが閲覧可能になったことにより、ユーザがＢＣＭＣＳデータを閲覧した場合には、携帯電話機２００のユーザは、子供用携帯電話機２００ａのユーザ（子供）の救助に向かうことが可能になる。
また、子供の救助が終了した場合には、基地局１００から携帯電話機２００に対して、救助が終了した旨を示すＢＣＭＣＳデータを送信することも可能である。
【００７６】
以上説明したように、本実施形態の情報通知システム１によれば、以下の効果が奏される。
すなわち、本実施形態の情報通知システム１は、基地局１００と、携帯電話機２００とを備える。基地局１００は、携帯電話機２００から送信された位置情報に基づいてその携帯電話機２００がいずれの小エリア３０２に位置するかを特定し、特定された小エリア３０２に対応するＦｌｏｗＩＤを携帯電話機２００に設定する設定部１０４ａと、第１の携帯電話機２００ａから送信された位置情報を含む緊急メッセージを受信する受信部と、第１の携帯電話機２００ａの位置情報に基づいて第１の携帯電話機２００ａが位置する小エリア３０２を特定し、特定された小エリア３０２に対応するＦｌｏｗＩＤを設定した第１のメッセージの配信要求を複数の携帯電話機２００に配信させる配信部１０４ｂと、を備える。携帯電話機２００は、位置情報を取得する位置情報取得部２０４と、取得された位置情報を基地局１００に送信する送信部と、設定部１０４ａにより設定されたＦｌｏｗＩＤに基づいてＦｌｏｗＩＤに対応するメッセージの受信登録を行う登録部２０５と、配信部１０４ｂにより配信される配信要求に含まれるＦｌｏｗＩＤと同一のＦｌｏｗＩＤに対応するメッセージの受信登録を登録部２０５により行っている場合、第１のメッセージを受信するモードに切り替える切替部２０６と、を備える。これにより、情報通知システム１は、第１の携帯電話機２００ａが位置する小エリア３０２と同じ小エリア３０２に位置する携帯電話機２００、すなわち第１の携帯電話機２００ａの近くに位置する他の携帯電話機２００（特定の携帯電話機２００）に対して、第１のメッセージを送信することができる。
【００７７】
また、情報通知システム１は、携帯電話機２００より送信される位置情報を受信するたびに、その位置情報に基づいて携帯電話機２００が位置する小エリア３０２を特定し、特定された小エリア３０２が直前に特定された小エリア３０２と異なる場合、異なる小エリア３０２に対応するＦｌｏｗＩＤを新たに設定し直す。これにより、情報通知システム１は、携帯電話機２００が移動する場合でも、携帯電話機２００の現在位置に対応したＦｌｏｗＩＤを設定することができる。それによって、現在位置に対応したＢＣＭＣＳデータの受信を行うことができる。
【００７８】
また、携帯電話機２００は、配信部１０４ｂにより配信される配信要求に含まれるＦｌｏｗＩＤとは異なるＦｌｏｗＩＤに対応するメッセージの受信登録を登録部２０５により行っている場合、第１のメッセージを受信するモードに切り替えない。これにより、第１の携帯電話機２００ａとは離れた位置に位置する他の携帯電話機２００は、関連性の低い第１のメッセージを受信する負荷を低減できる。
【００７９】
また、基地局１００は、携帯電話機２００から位置情報を取得するために、携帯電話機２００に対して位置情報要求情報を送信させると共に、位置情報要求情報に応じて携帯電話機２００から送信された位置情報を受信した場合に、その位置情報に基づいてＦｌｏｗＩＤを設定する。これにより、基地局１００は、携帯電話機２００が移動する場合でも、携帯電話機２００の現在位置に対応したＦｌｏｗＩＤを設定することができる。
【００８０】
また、基地局１００は、第１の携帯電話機２００ａからの緊急メッセージを受信することに応じて、第１のメッセージとしてのＢＣＭＣＳデータを送信させる。これにより、基地局１００は、ＢＣＭＣＳを利用して、第１のメッセージを送信することができる。
【００８１】
また、基地局１００は、第１の携帯電話機２００ａからの緊急メッセージを定期的に受信しなくなった場合、ＢＣＭＣＳデータの送信を停止する。これにより、基地局１００は、緊急メッセージを定期的に受信しなくなった場合には緊急事態が終了したと判断して、ＢＣＭＣＳデータの送信を停止することができる。
【００８２】
また、上述した実施形態では、携帯端末が携帯電話機２００に適用される場合を例示して説明した。しかしながら、携帯端末は、この実施形態に限定されることはなく、例えば、ＰＨＳ（Ｐｅｒｓｏｎａｌ  Ｈａｎｄｙｐｈｏｎｅ  Ｓｙｓｔｅｍ）であってもよい。
【００８３】
また、上述した実施形態では、ＢＣＭＣＳを例として挙げたが、これに限定されることはなく、例えば、ＣＢＳ（Ｃｅｌｌ  Ｂｒｏａｄｃａｓｔ  Ｓｅｒｖｉｃｅ）やｅＭＢＭＳ（ｅｖｏｌｖｅｄ  Ｍｕｌｔｉｍｅｄｉａ  Ｂｒｏａｄｂａｎｄ  Ｍｕｌｔｉｃａｓｔ  Ｓｅｒｖｉｃｅ）等の通信エリア内の携帯電話機に対して一斉配信する技術に適用可能である。
【００８４】
また、上述した実施形態では、第１の携帯電話機２００ａが位置する小エリア３０２と同じ小エリア３０２に位置する他の携帯電話機２００に対して、第１のメッセージを送信する場合について説明した。しかしながら、基地局１００は、複数のＦｌｏｗＩＤが設定されたＢＯＭを送信することにより、第１の携帯電話機２００ａが位置する小エリア３０２と同じ小エリア３０２に位置する他の携帯電話機２００ばかりでなく、第１の携帯電話機２００ａが位置する小エリア３０２の周辺の小エリア３０２に位置する他の携帯電話機２００に対しても第１のメッセージを送信することもできる。
【符号の説明】
【００８５】
１  情報通知システム
１００  基地局（管理装置）
１０３  受信部
１０４  制御部
１０４ａ  設定部
１０４ｂ  配信部
１０６  通信部
２００  携帯電話機（携帯端末）
２００ａ  第１の携帯電話機（第１の携帯端末）
２０２  送信部
２０３  受信部
２０４  位置情報取得部
２０５  登録部
２０６  切替部
２０８  出力部（報知部）
２１０  制御部（端末制御部）
３０１  通信エリア（所定のエリア）
３０２  小エリア
【図１】
2012109819.tif 000003
【図２】
2012109819.tif 000004
【図３】
2012109819.tif 000005
【図４】
2012109819.tif 000006
【図５】
2012109819.tif 000007
【図６】
2012109819.tif 000008